(57)【特許請求の範囲】
【請求項１】
円弧状移送経路に沿って袋を一定角度ずつ間欠的に移送する間欠移送式ロータリー型袋移送装置に隣接配置され、包装処理部材により前記円弧状移送経路を移送される袋に所定の包装処理を行う別置式包装処理装置の前記包装処理部材の往動経路設定方法において、前記別置式包装処理装置は、前記円弧状移送経路の外側に揺動支点を有し、水平面内で揺動可能でかつ伸縮可能に設置されたメインアームと、前記メインアームの先端部に水平面内で回動可能に軸支されたサブアームと、前記メインアームに対して鉛直方向に昇降可能とされ、かつ前記サブアームに所定間隔を置いて設置された複数個の包装処理部材と、前記メインアームを往復揺動させる駆動源と、前記メインアームを伸縮させる駆動源と、前記サブアームを軸回りに回動させる駆動源と、前記包装処理部材を昇降させる駆動源と、以上の駆動源を制御して、前記複数個の包装処理部材を前記円弧状移送経路を移送される複数個の袋に同期して往動経路上を往動させ、各包装処理部材が往動終点に達した後、往動始点に復動させるとともに、往復動工程の所定のタイミングで昇降させる制御装置を備え、前記各駆動源がそれぞれ独立したサーボモータからなり、前記複数個の包装処理部材が前記往動経路上で複数個の袋に同時に所定の包装処理を行うものであり、
前記別置式包装処理装置を前記間欠移送式ロータリー型袋移送装置に隣接配置し、
前記移送経路に対応する包装処理部材の仮想往動経路の径ｒ及び同期往動角度θを設定し、
各包装処理部材を往動始点に手動にて移動させ、各駆動源から取得した位置情報に基づき、各往動始点の座標位置に対応する往動始点位置制御データであるメインアームの揺動角度Ｑｉと長さＬｉ及びサブアームの回動角度Ｒｉを算出し、前記往動始点位置制御データから各往動始点の座標位置を算出し、
各包装処理部材を往動終点に手動にて移動させ、各駆動源から取得した位置情報に基づき、各往動終点の座標位置に対応する往動終点位置制御データであるメインアームの揺動角度Ｑｔと長さＬｔ及びサブアームの回動角度Ｒｔを算出し、該往動終点位置制御データから各往動終点の座標位置を算出し、
各往動始点の座標位置に基づき、全ての往動始点を通り前記仮想往動経路の径ｒと同じ径を有する円弧の中心の座標位置を算出し、
各往動始点の座標位置と前記円弧の中心の座標位置に基づき、前記円弧上を各往動始点から前記同期往動角度θだけ進んだ点を仮想往動終点としてその座標位置を算出し、前記円弧の各往動始点と仮想往動終点をつなぐ部分を仮想往動経路として設定し、
各往動始点から所定の微少間隔を置いて仮想往動経路上に分布する仮想往動終点を含むｎ個の点の座標位置にそれぞれ対応する位置制御データであるメインアームの揺動角度Ｑｍと長さＬｍ及びサブアームの回動角度Ｒｍを算出し、仮想往動終点に対応する位置制御データであるメインアームの揺動角度Ｑｎと長さＬｎ及びサブアームの回動角度Ｒｎと、往動終点位置制御データであるメインアームの揺動角度Ｑｔと長さＬｔ及びサブアームの回動角度Ｒｔとのずれの大きさに応じて、仮想往動経路上のｎ個の点の座標位置に対応する位置制御データであるメインアームの揺動角度Ｑｍと長さＬｍ及びサブアームの回動角度Ｒｍに対し、往動始点からの間隔に比例する補正値を付加し、
これにより往動始点と往動終点を略円弧状につなぐ往動経路を設定することを特徴とする別置式包装処理装置における包装処理部材の往動経路の設定方法。
ただし、ｍは１〜ｎの自然数であり、Ｑｍ、Ｌｍ、Ｒｍは各仮想往動経路上の往動始点からｍ番目の点の座標位置に対応するメインアームの揺動角度Ｑと長さＬ及びサブアームの回動角度Ｒを意味する。
【請求項２】
円弧状移送経路に沿って袋を一定角度ずつ間欠的に移送する間欠移送式ロータリー型袋移送装置に隣接配置され、包装処理部材により前記円弧状移送経路を移送される袋に所定の包装処理を行う別置式包装処理装置の前記包装処理部材の往動経路設定方法において、前記別置式包装処理装置は、前記円弧状移送経路の外側に揺動支点を有し、水平面内で揺動可能に設置されたメインアームと、前記メインアームの先端部に水平面内で回動可能に軸支されたサブアームと、前記サブアームに設置され、かつ前記メインアームに対して鉛直方向に昇降可能とされた包装処理部材と、前記メインアームを往復揺動させる駆動源と、前記サブアームを軸回りに回動させる駆動源と、前記包装処理部材を昇降させる駆動源と、以上の駆動源を制御して、前記包装処理部材を前記円弧状移送経路を移送される袋に同期して往動経路上を往動させ、包装処理部材が往動終点に達した後、往動始点に復動させるとともに、往復動工程の所定のタイミングで昇降させる制御装置を備え、前記各駆動源がそれぞれ独立したサーボモータからなり、前記包装処理部材が前記往動経路上で袋に所定の包装処理を行うものであり、
前記別置式包装処理装置を前記間欠移送式ロータリー型袋移送装置に隣接配置し、
前記移送経路に対応する包装処理部材の仮想往動経路の径ｒ及び同期往動角度θを設定し、
包装処理部材を往動始点に手動にて移動させ、各駆動源から取得した位置情報に基づき、往動始点の座標位置に対応する往動始点位置制御データであるメインアームの揺動角度Ｑｉとサブアームの回動角度Ｒｉを算出し、該往動始点位置制御データから往動始点の座標位置を算出し、
包装処理部材を往動終点に手動にて移動させ、各駆動源から取得した位置情報に基づき、往動終点の座標位置に対応する往動終点位置制御データであるメインアームの揺動角度Ｑｔとサブアームの回動角度Ｒｔを算出し、該往動終点位置制御データから往動終点の座標位置を算出し、
往動始点及び往動終点の座標位置に基づき、両点を通り前記仮想往動経路の径ｒと同じ径を有する円弧の中心の座標位置を算出し、
往動始点の座標位置と前記円弧の中心の座標位置に基づき、前記円弧上を往動始点から前記同期往動角度θだけ進んだ点を仮想往動終点としてその座標位置を算出し、前記円弧の往動始点と仮想往動終点をつなぐ部分を仮想往動経路として設定し、
往動始点から所定の微少間隔を置いて仮想往動経路上に分布する仮想往動終点を含むｎ個の点の座標位置にそれぞれ対応する位置制御データであるメインアームの揺動角度Ｑｍ及びサブアームの回動角度Ｒｍを算出し、仮想往動終点に対応する位置制御データであるメインアームの揺動角度Ｑｎ及びサブアームの回動角度Ｒｎと、往動終点位置制御データであるアームの揺動角度Ｑｔ及びサブアームの回動角度Ｒｔとのずれの大きさに応じて、仮想往動経路上のｎ個の点の座標位置に対応する位置制御データであるメインアームの揺動角度Ｑｍ及びサブアームの回動角度Ｒｍに対し、往動始点からの間隔に比例する補正値を付加し、
これにより往動始点と往動終点を円弧状につなぐ往動経路を設定することを特徴とする別置式包装処理装置における包装処理部材の往動経路の設定方法。
ただし、ｍは１〜ｎの自然数であり、Ｑｍ、Ｒｍは各仮想往動経路上の往動始点からｍ番目の点に対応するメインアームの揺動角度Ｑとサブアームの回動角度Ｒを意味する。
【請求項３】
円弧状移送経路に沿って袋を一定角度ずつ間欠的に移送する間欠移送式ロータリー型袋移送装置に隣接配置され、包装処理部材により前記円弧状移送経路を移送される袋に所定の包装処理を行う別置式包装処理装置の前記包装処理部材の往動経路設定方法において、前記別置式包装処理装置は、前記円弧状移送経路の外側に揺動支点を有し、水平面内で揺動可能でかつ伸縮可能に設置されたアームと、前記アームの先端部に鉛直方向に昇降可能に設置された包装処理部材と、前記アームを往復揺動させる駆動源と、前記アームを伸縮させる駆動源と、前記包装処理部材を昇降させる駆動源と、以上の駆動源を制御して、前記包装処理部材を前記円弧状移送経路を移送される袋に同期して往動経路上を往動させ、包装処理部材が往動終点に達した後、往動始点に復動させるとともに、往復動工程の所定のタイミングで昇降させる制御装置を備え、前記各駆動源がそれぞれ独立したサーボモータからなり、包装処理部材が前記往動経路上で袋に所定の包装処理を行うものであり、
前記別置式包装処理装置を前記ロータリー型袋移送装置に隣接配置し、
前記移送経路に対応する包装処理部材の仮想往動経路の径ｒ及び同期往動角度θを設定し、
包装処理部材を往動始点に手動にて移動させ、各駆動源から取得した位置情報に基づき、往動始点の座標位置に対応する往動始点位置制御データであるアームの揺動角度Ｑｉと長さＬｉを算出し、該往動始点位置制御データから往動始点の座標位置を算出し、
包装処理部材を往動終点に手動にて移動させ、各駆動源から取得した位置情報に基づき、往動終点の座標位置に対応する位置制御データであるアームの揺動角度Ｑｔと長さＬｔを算出し、該往動終点位置制御データから往動終点の座標位置を算出し、
往動始点及び往動終点の座標位置に基づき、両点を通り前記仮想往動経路の径ｒと同じ径を有する円弧の中心の座標位置を算出し、
往動始点の座標位置と前記円弧の中心の座標位置に基づき、前記円弧上を往動始点から前記同期往動角度θだけ進んだ点を仮想往動終点としてその座標位置を算出し、前記円弧の往動始点と仮想往動終点をつなぐ部分を仮想往動経路として設定し、
往動始点から所定の微少間隔を置いて仮想往動経路上に分布する仮想往動終点を含むｎ個の点の座標位置にそれぞれ対応する位置制御データであるアームの揺動角度Ｑｍ及び長さＬｍを算出し、仮想往動終点に対応する位置制御データであるアームの揺動角度Ｑｎ及び長さＬｎと、往動終点位置制御データであるアームの揺動角度Ｑｔ及び長さＬｔとのずれの大きさに応じて、仮想往動経路上のｎ個の点の座標位置に対応する位置制御データであるアームの揺動角度Ｑｍ及び長さＬｍに対し、往動始点からの間隔に比例する補正値を付加し、
これにより往動始点と往動終点を円弧状につなぐ往動経路を設定することを特徴とする別置式包装処理装置における包装処理部材の往動経路の設定方法。
ただし、ｍは１〜ｎの自然数であり、Ｑｍ、Ｌｍは各仮想往動経路上の往動始点からｍ番目の点に対応するメインアームの揺動角度Ｑ及び長さＬを意味する。
【請求項４】
前記包装処理部材が液体充填ノズルであることを特徴とする請求項１〜３のいずれかに記載された別置式包装処理装置における包装処理部材の往動経路の設定方法。
【請求項５】
前記径ｒ及び角度θが、袋の移送経路の径及び１回の間欠移送の角度に等しいことを特徴とする請求項１〜４のいずれかに記載された別置式包装処理装置における包装処理部材の往動経路の設定方法。
【発明の詳細な説明】
【技術分野】
【０００１】
本発明は、円弧状移送経路に沿って袋を一定角度ずつ間欠的に移送する間欠移送式ロータリー型袋移送装置に隣接配置され、包装処理部材により前記円弧状移送経路を移送される袋に所定の包装処理を行う別置式包装処理装置において、前記包装処理部材の往動経路を設定する方法に関する。
【背景技術】
【０００２】
包装機の構成要素として、間欠移送式ロータリー型容器移送装置により水平面上を円弧状移送経路に沿って移送される容器に対し、包装処理部材を同期移動させながら所定の包装処理を施す包装処理装置が知られている。前記包装処理部材は前記円弧状移送経路上の初期位置（往動始点）から、移送される前記容器に同期して前記円弧状移送経路に沿って所定範囲移動（往動）し、往動終点で停止した後、往動始点に復帰移動（復動）する。そして、往動工程（停止時を含む）において前記容器に対し所定の包装処理を施す。
なお、円弧状移送経路を有する間欠移送式ロータリー型容器移送装置には、円形の移送経路（円弧状移送経路のみ）又はレーストラック形移送経路（両端に円弧状移送経路）を有するもの等がある。
【０００３】
例えば特許文献１に記載されたびん詰め機では、円形移送経路に沿ってびんを間欠移送するテーブル（ロータリー型容器移送装置）の上方位置に液体充填装置（包装処理装置）を設置している。この充填装置は、前記テーブルの中心（円形移送経路の中心でもある）に位置する支軸と、該支軸に固定された扇状のノズル支持部材と、該ノズル支持部材の周縁に円弧状に所定間隔で配置された複数個の液体充填ノズル（包装処理部材）を有する。前記支軸の往復回動に伴い、前記充填ノズルがびんの円形（円弧状）移送経路に沿って、びんの移送と同期して間欠移動（往動）し、往動終点で停止後、初期位置（往動始点）に向けて復帰移動（復動）する。また、前記充填ノズルは往動始点で下降し、かつ往動終点で上昇する。前記支軸を往復回動させる機構、すなわち前記充填ノズルを円弧状移送経路に沿って往復動させる機構はテーブルの間欠駆動機構に組み込まれている。
【０００４】
特許文献２に記載された包装機では、円形移送経路に沿って袋を間欠移送するテーブル（ロータリー型容器（袋）移送装置）の近傍に開口保持装置（包装処理装置）を設置している。この開口保持装置は、前記円形移送経路の外側に同心円状に設置した円弧状ガイドレールと、該ガイドレールに沿って往復移動可能としたスライダと、該スライダに設置された一対の開口爪（包装処理部材）及びその開閉機構を有する。前記スライダの往復移動に伴い、前記一対の開口爪が袋の円形（円弧状）移送経路に沿って、袋の移送と同期して間欠移動（往動）し、往動終点で停止後、初期位置（往動始点）に向けて復帰移動（復動）する。また、前記開口爪等は往動始点で下降して、往動開始直後に開き、往動終点で上昇し、往動始点に到達する直前に閉じる。前記スライダを往復移動及び昇降させる機構、すなわち前記開口爪を円弧状移送経路に沿って往復動及び昇降させる機構はテーブルの間欠駆動機構に組み込まれている。
【０００５】
特許文献１に記載されたびん詰め機では支軸を中心とした往復回動、特許文献２に記載された包装機ではガイドレールに沿った往復移動というように、いずれも包装処理部材の往復動経路が構造的に定まっている。かつ包装処理部材を往復動させる駆動機構がロータリー型容器移送装置の駆動機構に組み込まれている。このため、包装処理部材を、ロータリー型容器移送装置による円弧状移送経路に沿った容器の移送に同期させて往動させ、かつ初期位置に復帰させることは機構的に比較的容易である。
【０００６】
反面、特許文献１，２の装置には次のような問題がある。
（１）包装処理装置を、必要に応じてロータリー型容器移送装置から分離するということが自在にはできない。そのため、例えば特許文献１の装置において、充填液の交換に伴って充填ノズルを洗浄する場合、びん詰め機全体を停止させる必要があり、それによる生産性の低下が避けられない。
（２）包装処理部材は往動時と復動時に必ず同じ経路を通る。そのため、例えば特許文献１の装置において、充填ノズルが復動する際にびんの移送経路上を通り、ノズルから垂れた液体がびんに付着する可能性がある。
【０００７】
（３）包装処理装置は、特定のロータリー型容器移送装置に対応させたもので、汎用性がない。例えば同じ包装処理装置を異なる半径の円弧状移送経路をもつロータリー型容器移送装置には適用できない。
（４）同様に、汎用性のなさの一種であるが、包装処理部材の往復動範囲は常に一定で変更がきかない。そのため、例えば特許文献１の装置において、充填する液体の性状や充填量に応じて充填時間を長くとりたい場合は、びんの移送速度を遅くするか停止時間を増やすしかなく、生産性の低下が避けられない。
【０００８】
これに対し、駆動機構的にロータリー型容器移送装置から切り離された包装処理装置も存在する。しかし、この種の包装処理装置は、間欠移送式のロータリー型容器移送装置により移送される容器が停止したとき該容器に対し適用されるものか、直線状の移送経路を有するロータリー型容器移送装置により前記直線状移送経路を移送される容器に適用される（直線状移送経路上の容器の移送に同期して包装処理部材を移動させる）ものしか存在しない。前者の場合、包装処理装置は容器の停止位置でのみ作動し（例えば充填ノズルが停止位置で昇降）、容器の移送に同期して移動しない。後者は例えば特許文献３が例示できる。なお、特許文献３に記載された包装処理装置は、駆動機構的にはロータリー型容器移送装置から切り離されているが、容器の移送経路の内側に設置されており、その意味ではロータリー型容器移送装置から構造的に切り離すことはできない。
【０００９】
【特許文献１】特公昭５９−４６８７４号公報
【特許文献２】特開２００９−１３２２号公報
【特許文献３】特許第４１９００６７号公報
【００１０】
一方、出願人は、先に、円弧状移送経路に沿って袋を移送する間欠移送式ロータリー型袋移送装置に隣接配置され、前記円弧状移送経路を移送される袋に所定の包装処理を行う別置式包装処理装置を提案した（特願２０１０−０４１１８２（特許第５４９６７０６号公報））。この別置式包装処理装置は、間欠移送式ロータリー型袋移送装置に対し隣接配置し又は同装置から分離することが自在に行える。また、包装処理部材に往動経路とは異なる復動経路をとらせることができる。さらに場合によっては、袋の移送経路の径や同期移送角度（包装処理部材が袋の移送経路と同期して往動する移送経路上の角度θ、間欠移送式の場合通常１回の移送角度又はその倍数）が異なる種々の間欠移送式ロータリー型袋移送装置に適用し得る汎用性を有している。
【発明の概要】
【発明が解決しようとする課題】
【００１１】
前記別置式包装処理装置を間欠移送式ロータリー型袋移送装置に隣接配置する際、常に精度よく据え付けることができれば、袋の移送経路の半径や１回の間欠移送角度が同じである限り、包装処理部材の往動経路を一度設定しておけば、据え付けの都度調整する必要はないが、精度のよい据え付けは作業が繁雑となり時間も掛かる。
一方、ラフに据え付けるのであれば据え付け作業自体は簡単に行えるが、包装処理部材の往動経路が袋の移送経路に合わなくなるため、今度は据え付けの都度往動経路を調整する必要が出てくる。この調整作業は極めて繁雑な作業となり、包装工場レベルでは困難である。
さらに、前記別置式包装処理装置は、袋の移送形態（移送経路の半径や１回の間欠移送角度の相違）が異なる種々の間欠移送式ロータリー型袋移送装置への汎用的な適用が可能であることが望ましいが、それを具体化するアイデアは存在しない。
【００１２】
本発明は、前記別置式包装処理装置に関する上記問題点に鑑みてなされたもので、別置式包装処理装置の包装処理部材の往動経路の設定が容易に行えるようにすることを目的とする。
【課題を解決するための手段】
【００１３】
本発明は、円弧状移送経路に沿って袋を一定角度ずつ間欠的に移送する間欠移送式ロータリー型袋移送装置に隣接配置され、包装処理部材により前記円弧状移送経路を移送される袋に所定の包装処理を行う別置式包装処理装置の前記包装処理部材の往動経路設定方法に関する。
この往動経路設定方法において、対象となる別置式包装処理装置は、次のような特徴的構成を有する。
【００１４】
（１）請求項１に係る別置式包装処理装置
前記円弧状移送経路の外側に揺動支点を有し、水平面内で揺動可能でかつ伸縮可能に設置されたメインアームと、前記メインアームの先端部に水平面内で回動可能に軸支されたサブアームと、前記メインアームに対して鉛直方向に昇降可能とされ、かつ前記サブアームに所定間隔を置いて設置された複数個の包装処理部材と、前記メインアームを往復揺動させる駆動源と、前記メインアームを伸縮させる駆動源と、前記サブアームを軸回りに回動させる駆動源と、前記包装処理部材を昇降させる駆動源と、以上の駆動源を制御して、前記複数個の包装処理部材を前記円弧状移送経路を移送される複数個の袋に同期して往動経路上を往動させ、各包装処理部材が往動終点に達した後、往動始点に復動させるとともに、往復動工程の所定のタイミングで昇降させる制御装置を備え、前記各駆動源がそれぞれ独立したサーボモータからなり、前記複数個の包装処理部材が前記往動経路上で複数個の袋に同時に所定の包装処理を行う。
なお、前記駆動源は、前記包装処理部材をサブアームを介してメインアームに対し昇降させる（直接的にはサブアームをメインアームに対して昇降させる）ものであってもよい。
この別置式包装処理装置は、サブアーム上の複数の包装処理部材の相互の間隔が、移送経路上の袋の間隔に一致するのであれば、袋の移送経路の半径や１回の間欠移送角度等が異なる間欠移送式ロータリー型袋移送装置にも適用できる。
【００１５】
（２）請求項２に係る別置式包装処理装置
前記円弧状移送経路の外側に揺動支点を有し、水平面内で揺動可能に設置されたメインアームと、前記メインアームの先端部に水平面内で回動可能に軸支されたサブアームと、前記サブアームに設置され、かつ前記メインアームに対して鉛直方向に昇降可能とされたた１個の包装処理部材と、前記メインアームを往復揺動させる駆動源と、前記サブアームを軸回りに回動させる駆動源と、前記包装処理部材を昇降させる駆動源と、以上の駆動源を制御して、前記包装処理部材を前記円弧状移送経路を移送される袋に同期して往動経路上を往動させ、包装処理部材が往動終点に達した後、往動始点に復動させるとともに、往復動工程の所定のタイミングで昇降させる制御装置を備え、前記各駆動源がそれぞれ独立したサーボモータからなり、前記包装処理部材が前記往動経路上で袋に所定の包装処理を行う。
なお、前記駆動源は、前記包装処理部材をサブアームを介してメインアームに対し昇降させる（直接的にはサブアームをメインアームに対して昇降させる）ものであってもよい。
この別置式包装処理装置は、移送経路の半径や１回の間欠移送角度等が異なる間欠移送式ロータリー型袋移送装置にも適用できるなど汎用性が高い。
【００１６】
（３）請求項３に係る別置式包装処理装置
前記円弧状移送経路の外側に揺動支点を有し、水平面内で揺動可能でかつ伸縮可能に設置されたアームと、前記アームの先端部に鉛直方向に昇降可能に設置された包装処理部材と、前記アームを往復揺動させる駆動源と、前記アームを伸縮させる駆動源と、前記包装処理部材を昇降させる駆動源と、以上の駆動源を制御して、前記包装処理部材を前記円弧状移送経路を移送される袋に同期して往動経路上を往動させ、包装処理部材が往動終点に達した後、往動始点に復動させるとともに、往復動工程の所定のタイミングで昇降させる制御装置を備え、前記各駆動源がそれぞれ独立したサーボモータからなり、包装処理部材が前記往動経路上で袋に所定の包装処理を行う。
この別置式包装処理装置は、移送経路の半径や１回の間欠移送角度等が異なる間欠移送式ロータリー型袋移送装置にも適用できるなど汎用性が高い。
【００１７】
上記（１）の別置式包装処理装置において、包装処理部材の往動経路設定方法を項分けして示すと次のようになる。
（ａ）前記別置式包装処理装置を前記間欠移送式ロータリー型袋移送装置に隣接配置し、
（ｂ）前記移送経路に対応する包装処理部材の仮想往動経路の径ｒ及び同期往動角度θ（包装処理部材が移送される袋と同期して往動する仮想往動経路上の角度θ）を設定し、
（ｃ）各包装処理部材を往動始点に手動にて移動させ、
（ｄ）各駆動源から取得した位置情報に基づき、各往動始点の座標位置に対応する往動始点位置制御データ（メインアームの揺動角度Ｑｉと長さＬｉ及びサブアームの回動角度Ｒｉ）を算出し、前記往動始点位置制御データから各往動始点の座標位置を算出し、
（ｅ）各包装処理部材を往動終点に手動にて移動させ、
（ｆ）各駆動源から取得した位置情報に基づき、各往動終点の座標位置に対応する往動終点位置制御データ（メインアームの揺動角度Ｑｔと長さＬｔ及びサブアームの回動角度Ｒｔ）を算出し、該往動終点位置制御データから各往動終点の座標位置を算出し、
（ｇ）各往動始点の座標位置に基づき、全ての往動始点を通り前記仮想往動経路の径ｒと同じ径を有する円弧の中心の座標位置を算出し、
（ｈ）各往動始点の座標位置と前記円弧の中心の座標位置に基づき、前記円弧上を各往動始点から前記同期往動角度θだけ進んだ点を仮想往動終点としてその座標位置を算出し、前記円弧の各往動始点と仮想往動終点をつなぐ部分を仮想往動経路として設定し、
（ｉ）各往動始点から所定の微少間隔を置いて仮想往動経路上に分布する仮想往動終点を含むｎ個の点の座標位置にそれぞれ対応する位置制御データ（メインアームの揺動角度Ｑｍと長さＬｍ及びサブアームの回動角度Ｒｍ）を算出し、仮想往動終点に対応する位置制御データ（メインアームの揺動角度Ｑｎと長さＬｎ及びサブアームの回動角度Ｒｎ）と、前記往動終点位置制御データ（メインアームの揺動角度Ｑｔと長さＬｔ及びサブアームの回動角度Ｒｔ）とのずれの大きさ（ΔＱ，ΔＬ，ΔＲ）に応じて、仮想往動経路上のｎ個の点の座標位置に対応する位置制御データ（メインアームの揺動角度Ｑｍと長さＬｍ及び前記サブアームの回動角度Ｒｍ）に対し、往動始点からの間隔に比例する補正値を付加し、
（ｊ）これにより往動始点と往動終点を略円弧状につなぐ往動経路を設定する。
なお、上記方法において、ｍは１〜ｎの自然数であり、Ｑｍ、Ｌｍ、Ｒｍは各仮想往動経路上の往動始点からｍ番目の点の座標位置に対応するアームの揺動角度Ｑと伸縮長さＬ及び前記サブアームの回動角度Ｒを意味する。
【００１８】
上記（２）の別置式包装処理装置において、包装処理部材の往動経路設定方法を項分けして示すと次のようになる。
（ａ）前記別置式包装処理装置を前記間欠移送式ロータリー型袋移送装置に隣接配置し、
（ｂ）前記移送経路に対応する包装処理部材の仮想往動経路の径ｒ及び同期往動角度θを設定し、
（ｃ）包装処理部材を往動始点に手動にて移動させ、
（ｄ）各駆動源から取得した位置情報に基づき、往動始点の座標位置に対応する往動始点位置制御データ（メインアームの揺動角度Ｑｉとサブアームの回動角度Ｒｉ）を算出し、該往動始点位置制御データから往動始点の座標位置を算出し、
（ｅ）包装処理部材を往動終点に手動にて移動させ、
（ｆ）各駆動源から取得した位置情報に基づき、往動終点の座標位置に対応する往動終点位置制御データ（メインアームの揺動角度Ｑｔとサブアームの回動角度Ｒｔ）を算出し、該往動終点位置制御データから往動終点の座標位置を算出し、
（ｇ）往動始点及び往動終点の座標位置に基づき、両点を通り前記仮想往動経路の径ｒと同じ径を有する円弧の中心の座標位置を算出し、
（ｈ）往動始点の座標位置と前記円弧の中心の座標位置に基づき、前記円弧上を往動始点から同期往動角度θだけ進んだ点を仮想往動終点としてその座標位置を算出し、前記円弧の往動始点と仮想往動終点をつなぐ部分を仮想往動経路として設定し、
（ｉ）往動始点から所定の微少間隔を置いて仮想往動経路上に分布する仮想往動終点を含むｎ個の点の座標位置にそれぞれ対応する位置制御データ（メインアームの揺動角度Ｑｍ及びサブアームの回動角度Ｒｍ）を算出し、仮想往動終点に対応する位置制御データ（メインアームの揺動角度Ｑｎ及びサブアームの回動角度Ｒｎ）と、前記往動終点位置制御データ（メインアームの揺動角度Ｑｔ及びサブアームの回動角度Ｒｔ）とのずれの大きさ（ΔＱ，ΔＲ）に応じて、仮想往動経路上のｎ個の点の座標位置に対応する位置制御データ（メインアームの揺動角度Ｑｍ及びサブアームの回動角度Ｒｍ）に対し、往動始点からの間隔に比例する補正値を付加し、
（ｊ）これにより往動始点と往動終点を円弧状につなぐ往動経路を設定する。
なお、上記方法において、ｍは１〜ｎの自然数であり、Ｑｍ、Ｒｍは各仮想往動経路上の往動始点からｍ番目の点に対応するメインアームの揺動角度Ｑとサブアームの回動角度Ｒを意味する。
【００１９】
上記（３）の別置式包装処理装置において、包装処理部材の往動経路設定方法を項分けして示すと次のようになる。
（ａ）前記別置式包装処理装置を前記間欠移送式ロータリー型袋移送装置に隣接配置し、
（ｂ）前記移送経路に対応する包装処理部材の仮想往動経路の径ｒ及び同期往動角度θを設定し、
（ｃ）包装処理部材を往動始点に手動にて移動させ、
（ｄ）各駆動源から取得した位置情報に基づき、往動始点の座標位置に対応する往動始点位置制御データ（アームの揺動角度Ｑｉ及び長さＬｉ）を算出し、該往動始点位置制御データから往動始点の座標位置を算出し、
（ｅ）包装処理部材を往動終点に手動にて移動させ、
（ｆ）各駆動源から取得した位置情報に基づき、往動終点の座標位置に対応する往動終点位置制御データ（アームの揺動角度Ｑｔと長さＬｔ）を算出し、該往動終点位置制御データから往動終点の座標位置を算出し、
（ｇ）往動始点及び往動終点の座標位置に基づき、両点を通り前記仮想往動経路の径ｒと同じ径を有する円弧の中心の座標位置を算出し、
（ｈ）往動始点の座標位置と前記円弧の中心の座標位置に基づき、前記円弧上を往動始点から前記同期往動角度θだけ進んだ点を仮想往動終点としてその座標位置を算出し、前記円弧の往動始点と仮想往動終点をつなぐ部分を仮想往動経路として設定し、
（ｉ）往動始点から所定の微少間隔を置いて仮想往動経路上に分布する仮想往動終点を含むｎ個の点の座標位置にそれぞれ対応する位置制御データ（アームの揺動角度Ｑｍ及び長さＬｍ）を算出し、仮想往動終点位置制御データ（アームの揺動角度Ｑｎ及び長さＬｎ）と、前記往動終点位置制御データ（アームの揺動角度Ｑｔ及び長さＬｔ）とのずれの大きさ（ΔＱ，ΔＬ）に応じて、仮想往動経路上のｎ個の点の座標位置に対応する位置制御データ（アームの揺動角度Ｑｍ及び長さＬｍ）に対し、往動始点からの間隔に比例する補正値を付加し、
（ｊ）これにより往動始点と往動終点を円弧状につなぐ往動経路を設定する。
なお、上記方法において、ｍは１〜ｎの自然数であり、Ｑｍ、Ｌｍは各仮想往動経路上の往動始点からｍ番目の点に対応するメインアームの揺動角度Ｑと長さＬを意味する。
【００２０】
本発明でいう間欠移送式ロータリー型袋移送装置には、円形の移送経路（円弧状移送経路のみ）又はレーストラック形移送経路（両端に円弧状移送経路）等、少なくとも一部に円弧状移送経路を有する間欠移送式ロータリー型袋移送装置が含まれる。
本発明でいう包装処理装置（包装処理部材）には、袋の包装処理に用いられる全ての包装処理装置（包装処理部材）が含まれる。例えば、液体充填装置（液体充填ノズル）、ガス充填装置（ガス吹き込みノズル）、キャッピング装置（キャッピングヘッド）等が挙げられる。
【００２１】
本発明に係る別置式包装処理装置において、包装処理部材の復動経路は往動経路と同一でも、異なっていてもよい。往動経路は袋の円弧状移送経路にほぼ沿ったものとなるが、復動経路は袋の円弧状移送経路を意図的に外すことができ、また直線状経路を選択することもできる。あるいは、包装処理部材を往動行程では袋の移送と同期して間欠移動させ、復動行程では連続移動で初期位置に復帰させるというモード変更も可能である。
【発明の効果】
【００２２】
本発明によれば、包装処理部材を手動で往動始点及び往動終点に導くという簡単な操作で、包装処理部材の往動経路の設定が容易に行える別置式包装処理装置を得ることができる。従って、別置式包装処理装置の据え付け操作を余りシビアに行わなくても、間欠移送式ロータリー型袋移送装置の袋の移送経路に沿った包装処理部材の往動経路を容易に得ることができる。
あるいは間欠移送式ロータリー型袋移送装置の種類に関わらず（例えば袋の移送経路の半径や１回の移送角度が変わっても）、間欠移送式ロータリー型袋移送装置の袋の移送経路に沿った包装処理部材の往動経路を容易に得ることができる。
また、本発明によれば、往動経路の設定に位置検出用センサや位置決め装置等も不要となる。
【図面の簡単な説明】
【００２３】
【図１】本発明に係る別置式包装処理装置を備えた包装機の全体斜視図である。
【図２】前記包装機の一部である別置式包装処理装置の平面図である。
【図３】前記別置式包装処理装置の側面図である。
【図４】別の別置式包装処理装置の平面図である。
【図５】さらに別の別置式包装処理装置の平面図である。
【図６】図２，３に記載した別置式包装処理装置における包装処理部材の往動経路の設定方法を説明する図である。
【図７】図４に記載した別置式包装処理装置における包装処理部材の往動経路の設定方法を説明する図である。
【図８】図５に記載した別置式包装処理装置における包装処理部材の往動経路の設定方法を説明する図である。
【発明を実施するための形態】
【００２４】
まず、図１〜図５を参照して、本発明に係る別置式包装処理装置について説明する。
図１は本発明に係る別置式包装処理装置（別置式液体充填装置１）を備えた袋詰め包装機の斜視図である。この袋詰め包装機は間欠移送式ロータリー型袋移送装置２を備え、その一部として一方向（図１において左回り）に間欠回転するテーブル３と、その周囲に複数対のグリッパー４，４が等間隔に配置されている。
【００２５】
テーブル３の間欠回転に伴い、グリッパー４，４は水平面内で円形の移動経路に沿って間欠的に移動し、テーブル３（グリッパー４，４）が一回転する間に、グリッパー４，４への袋５（図２，３参照）の供給、グリッパー４，４に両側縁を挟持された袋５への液体の充填、袋５の開口部（袋口）のシール等の種々の包装処理工程が実施される。なお、グリッパー４，４の移動経路は袋５の移送経路でもあり、袋５は前記移送経路を１個ずつ等角度間隔で間欠的に移送される。
テーブル３の一回転は１０回の停止と移動からなり、計１０工程にわたり各種の包装処理工程が実施される。
【００２６】
図１を参照してより具体的に説明すると、第１工程は給袋工程であり、グリッパー４，４の停止位置（１番目の停止位置）近傍に、該グリッパー４，４に袋５を供給するコンベアマガジン式給袋装置６が配置されている。供給される袋５は上縁が開口した袋で、グリッパー４，４により開口部（袋口）付近の両側縁を挟持され、開口部を上向きにして吊り下げられる。
第２工程は印字工程であり、グリッパー４，４の停止位置（２番目の停止位置）近傍に、該グリッパー４，４に挟持された袋５の袋面に日付等を印字する印字装置（図示省略）が配置されている。
【００２７】
第３工程は印字検査工程であり、グリッパー４，４の停止位置（３番目の停止位置）近傍に、該グリッパー４，４に挟持された袋５に施された印字を検査する印字検査装置（図示省略）が配置されている。
第４工程は開口工程であり、グリッパー４，４の停止位置（４番目の停止位置）近傍に、該グリッパー４，４に挟持された袋５の袋口を開口する開口装置７が配置されている。この開口装置７は、互いに接離可能な一対の吸着部材（吸盤）を有する。
【００２８】
第５〜７工程は液体充填工程である。この工程は１つの袋５がグリッパー４，４の５番目の停止位置から６番目の停止位置にかけて移送（間欠移送）され、同時にもう１つの袋がグリッパー４，４の６番目の停止位置から７番目の停止位置にかけて移送（間欠移送）される間、各袋５に対し連続して行われる。
別置式液体充填装置１は液体充填工程が行われる袋５の円弧状移送経路の外側に配置され、２つの充填ノズル８，９、各充填ノズル８，９に対応する配管１１，１２、流路切換弁１３，１４、容積計量式ポンプ１５，１６及び共通の液体貯留タンク１７、制御装置（制御盤１８のみ示す）等を備え、間欠回転式ロータリー型袋移送装置２から構造上も駆動機構上も独立している。
【００２９】
第８工程は第１シール工程であり、グリッパー４，４の停止位置（８番目の停止位置）近傍に、該グリッパー４，４に挟持された袋５の袋口に１回目の熱シールを行う第１シール装置１９が配置されている。第１シール装置１９は一対のシールバーを有する。
第９工程は第２シール工程であり、グリッパー４，４の停止位置（９番目の停止位置）近傍に、該グリッパー４，４に挟持された袋５の袋口に２回目の熱シールを行う第２シール装置２１が配置されている。第２シール装置２１は一対のシールバーを有する。
【００３０】
第１０工程はシール部冷却及び製品放出工程であり、グリッパー４，４の停止位置（１０番目の停止位置）近傍に、該グリッパー４，４に挟持された袋５のシール部を冷却するシール部冷却装置２２が配置されている。シール装部冷却装置２２はシール部を挟持して冷却する一対の冷却バーを有する。
第１０工程においてグリッパー４，４が開き、続いて前記冷却バーが開いて、製品となった袋５が落下し、ベルトコンベア等を介して機外に排出される。
なお、２０は袋詰め包装機の制御盤である。
【００３１】
続いて図２，３を参照して、別置式液体充填装置１についてより詳細に説明する。
別置式液体充填装置１は、袋５の円弧状移送経路の外側に揺動支点を有し、水平面内で揺動可能でかつ伸縮可能に設置されたメインアーム２３と、メインアーム２３の先端部に昇降可能に設置された鉛直な昇降軸２４と、昇降軸２４の上端に回動可能に軸支された略Ｖ字形のサブアーム２５と、サブアーム２５の両先端に所定間隔（円弧状移送経路の隣接する２つの停止位置の間隔）を置いて設置された一対の前記充填ノズル８，９を備える。また、メインアーム２３を揺動させる駆動源、及びメインアーム２３を伸縮させる駆動源が別置式液体充填装置１のボックス２６内に収容され、昇降軸２４をメインアーム２３に対して昇降させる駆動源がメインアーム２３の先端部に収納され、サブアーム２５を回動させる駆動源がサブアーム２５に設置したケース２７内に収納されている。各駆動源は互いに独立したサーボモータからなる。
【００３２】
各駆動源の作動により、メインアーム２３は水平揺動及び伸縮可能であり、サブアーム２５及び充填ノズル８，９は軸２４（メインアーム２３）に対して水平面内で回動し、かつメインアーム２３に対して昇降する。
なお、昇降軸２４を昇降させる代わりに、サブアーム２５に各充填ノズル８，９を昇降自在に設置し、サブアーム２５に設置した駆動源により各充填ノズル８，９を昇降させることもできる。また、昇降軸２４の上端にサブアーム２５を回動自在に設置する代わりに、サブアーム２５を昇降軸２４の上端に固定するとともに、昇降軸２４をメインアーム２３に回動自在に設置し、メインアーム２３に設置した駆動源により昇降軸２４を回動させ、これに伴ってサブアーム２５を回動させることもできる。いずれにしても、サブアーム２５がメインアーム２３に対し水平面内で回動可能とされ、かつ各充填ノズル８，９がメインアーム２３に対して昇降可能とされていればよい。
【００３３】
別置式液体充填装置１は、以上説明した４つの駆動源（サーボモータ）を制御して、２つの充填ノズル８，９を、２つの袋５，５の円弧状移送経路に沿った往動経路上を前記２つの袋５，５の移送と同期して往動させ、往動終点に達した後、初期位置（往動始点）に復動させるとともに、往復動行程の所定のタイミングで下降及び上昇させる制御装置を備える。ここで、充填ノズル８の往動始点は、円弧状移送経路上の５番目の停止位置（図２にＶで示す）に、往動終点は６番目の停止位置（図２にＶＩで示す）に設定される。また、充填ノズル９の初期位置（往動始点）は、円弧状移送経路上の６番目の停止位置（図２にＶＩで示す）に、往動終点は７番目の停止位置（図２にＶＩＩで示す）に設定される。
【００３４】
別置式液体充填装置１は、例えばサブアーム２５の長さを変えたり、サブアーム２５上での充填ノズル８，９の設置位置を変更して、一対の充填ノズル８，９の取付間隔を変更することにより、機種の異なる（例えば移送経路の半径や１回の間欠移送の移送角度が異なる）間欠移送式ロータリー型袋移送装置にも対応できる。
また、別置式液体充填装置１は、サブアーム２５に片側２個ずつ計４個の充填ノズルを設置することにより、全工程において２個の袋に対し同時に包装操作を行ういわゆるＷ型袋詰め包装機（例えば特開２００４−２４４０８５号公報参照）に対応させることができる。この場合の間欠移送式ロータリー型袋移送装置は、２個の袋を同時に円形移送経路に沿って間欠的に移送するＷ型である。
【００３５】
図２，３を参照しながら、充填ノズル８，９の往復動及び昇降作動を時系列的に説明すると、例えば以下のようになる。
（１）充填ノズル８，９が往動始点において上昇位置にある。ここで、袋口を開口した袋５，５が５，６番目の停止位置に移送されて停止する。
（２）充填ノズル８，９が下降し、その吐出口が袋５，５の袋底付近に達する（図３の仮想線参照）。  
（３）流路切換弁１３，１４が切り換わり、容積計量式ポンプ１５，１６と充填ノズル８，９との間の流路が連通（容積計量式ポンプ１５，１６と液体貯留タンク１７との間の流路が遮断）し、充填ノズル８，９から袋５，５に液体の充填が開始される。
【００３６】
（４）袋５，５が次の停止位置へ向けて移送されるのに伴い、充填ノズル８，９が前記円弧状移送経路に沿った往動経路上を袋５，５と同期して移動（往動）し、袋５，５とともに往動終点に到達する。充填ノズル８，９は、往動経路上において往動行程の間及び往動終点に停止している間、袋内の液位の上昇に伴って上昇する。往動行程において、メインアーム２３が水平揺動するとともに長さ方向に伸びた状態から縮んで再び伸び、一方、サブアーム２５（及び充填ノズル８，９）がメインアーム２３に対して回動（図２において左方向に）し、これらの動作が複合して、充填ノズル８，９は前記往動経路上を往動する。なお、図２には、充填ノズル８，９が往動始点位置にあるときのメインアーム２３の揺動及び伸縮状態とサブアーム２５の回動状態を実線で、充填ノズル８，９が往動行程の中間位置及び往動終点にきたときのメインアーム２３の揺動及び伸縮状態とサブアーム２５の回動状態を仮想線でそれぞれ図示している。
【００３７】
（５）容積計量式ポンプ１５，１６による充填が終了し、流路切換弁１３，１４が切り換わり、容積計量式ポンプ１５，１６と充填ノズル８，９の間との間の流路が遮断（容積計量式ポンプ１５，１６と液体貯留タンク１７との間の流路が連通）し、充填ノズル８，９が上昇し、袋５，５から抜け出る。なお、充填開始までの間に、液体貯留タンク１７内の液体が容積計量式ポンプ１５，１６内に所定量引き込まれる。
（６）続いて袋５，５が次の工程に向けて移送され、その間に、充填ノズル８，９が往動始点に復帰（復動）する。復動経路は往動経路と同じでも、外れていてもよい。外れている場合、充填ノズル８，９から垂れる液体が袋５に付着することが防止できる。また、メインアーム２３の伸縮なしに復動させることもできる。
【００３８】
次に、図４を参照して別の別置式液体充填装置１Ａについて説明する。なお、図４において、図１〜３に示す液体充填装置１の各構成部位と実質的に同等の部位には、同じ番号を付与している。
別置式液体充填装置１Ａは、図１〜３に示す別置式液体充填装置１と同様、液体充填工程が行われる袋５の円弧状移送経路の外側に配置され、間欠移送式ロータリー型袋移送装置２から構造上も駆動機構上も独立している。また、図４に図示されていないが、別置式液体充填装置１Ａは、流路切換弁や容積計量式ポンプ、及び液体貯留タンク等を備えている。
【００３９】
別置式液体充填装置１Ａは、袋５の円弧状移送経路の外側に揺動支点を有し、水平面内で揺動可能に設置されたメインアーム２３と、メインアーム２３の先端部に昇降可能に設置された鉛直な昇降軸（別置式液体充填装置１の昇降軸２４と同等の部材）、前記昇降軸の上端に回動可能に設置されたサブアーム２５と、サブアーム２５の先端に設置された充填ノズル８を備える。また、メインアーム２３を揺動させる駆動源が別置式液体充填装置１Ａのボックス２６内に収容され、前記昇降軸をメインアーム２３に対して昇降させる駆動源がメインアーム２３の先端部に収納され、サブアーム２５を前記昇降軸に対して回動させる駆動源がサブアーム２５上部のケース２７内に収納されている。各駆動源は互いに独立したサーボモータからなる。このように、別置式液体充填装置１Ａは、メインアーム２３が伸縮しない点及び充填ノズルが１つである点を除いて、基本構造は図１〜３に示す別置式液体充填装置１とほぼ同じである。
【００４０】
各駆動源の作動により、メインアーム２３は水平揺動可能であり、サブアーム２５及び充填ノズル８はメインアーム２３に対して水平面内で回動し、かつ昇降する。
なお、前記昇降軸を昇降させる代わりに、サブアーム２５に充填ノズル８を昇降自在に設置し、サブアーム２５に設置した駆動源により充填ノズル８を昇降させることもできる。また、昇降軸の上端にサブアーム２５を回動自在に設置する代わりに、サブアーム２５を昇降軸の上端に固定するとともに、昇降軸をメインアーム２３に回動自在に設置し、メインアーム２３に設置した駆動源により昇降軸を回動させ、これに伴ってサブアーム２５を回動させることもできる。いずれにしても、サブアーム２５がメインアーム２３に対し水平面内で回動可能とされ、かつ充填ノズル８がメインアーム２３に対して昇降可能とされていればよい。これらの点も、図１〜３に示す別置式液体充填装置１と同じである。
【００４１】
別置式液体充填装置１Ａは、以上説明した３つの駆動源（サーボモータ）を制御して、充填ノズル８を、前記円弧状移送経路に沿った往動経路上を袋５の移送と同期して往動させ、往動終点に達した後、初期位置に復動させるとともに、往復動行程の所定のタイミングで下降及び上昇させる制御装置を備える。ここで、間欠移送式ロータリー型袋移送装置２が図１，２に示すものと同じであれば、充填ノズル８の初期位置（往動始点）は、前記円弧状移送経路上の５番目の停止位置（図４にＶで示す）に、往動終点は６番目の停止位置（図４にＶＩで示す）に設定される。
【００４２】
別置式液体充填装置１Ａにおいて、充填ノズル８の往復動及び昇降作動は、図１〜３に示す別置式液体充填装置１のものとほぼ同様と考えてよい。図４において、充填ノズル８が往動始点にきたときのメインアーム２３及びサブアーム２５の状態を実線で、充填ノズル８が往動終点にきたときのメインアーム２３及びサブアーム２５の状態を仮想線で示す。
別置式液体充填装置１Ａは、充填ノズル８が１つであるため、袋５が６番目の停止位置に停止している間に、充填ノズル８は往動始点に復帰（復動）する必要があり、充填時間及び復動時間が図１〜３に示す別置式液体充填装置１に比べて短くなる。その代わり、図１〜３に示す別置式液体充填装置１では充填工程に使われていた７番目の停止位置（図４にＶＩＩで示す）を、例えばスチーム吹き込みなど、他の包装処理に利用することができる。
【００４３】
次に、図５を参照して別の別置式液体充填装置１Ｂについて説明する。なお、図５において、図２，３に示す別置式液体充填装置１の各構成部位と実質的に同等の部位には、同じ番号を付与している。
別置式液体充填装置１Ｂは、図２，３に示す別置式液体充填装置１と同様、液体充填工程が行われる袋５の円弧状移送経路の外側に配置され、間欠移送式ロータリー型袋移送装置２から構造上も駆動機構上も独立している。また、図５に図示されていないが、別置式液体充填装置１Ｂは、流路切換弁や容積計量式ポンプ、及び液体貯留タンク等を備えている。
【００４４】
別置式液体充填装置１Ｂは、袋５の円弧状移送経路の外側に揺動支点を有し、水平面内で揺動可能でかつ伸縮可能に設置されたアーム２３と、アーム２３の先端部に昇降可能に設置された充填ノズル８を備える。また、アーム２３を揺動させる駆動源、及びアーム２３を伸縮させる駆動源が別置式液体充填装置１Ｂのボックス２６内に収容され、充填ノズル８を昇降させる駆動源がアーム２３の先端部に収容されている。各駆動源は互いに独立したサーボモータからなる。  
【００４５】
各駆動源の作動により、アーム２３は水平揺動可能及び伸縮可能であり、充填ノズル８はアーム２３に対して昇降する。
別置式液体充填装置１Ｂは、以上説明した３つの駆動源（サーボモータ）を制御して、充填ノズル８を、袋５の円弧状移送経路に沿った往動経路上を前記袋５の移送と同期して往動させ、往動終点に達した後、往動始点に復動させるとともに、往復動行程の所定のタイミングで下降及び上昇させる制御装置を備える。ここで、間欠移送式ロータリー型袋移送装置２が図２に示すものと同じであれば、充填ノズル８の往動始点は、前記円弧状移送経路上の５番目の停止位置（図５にＶで示す）に、往動終点は６番目の停止位置（図５にＶＩで示す）に設定される。
【００４６】
別置式液体充填装置１Ｂにおいて、充填ノズル８の往復動及び昇降作動は、図４に示す別置式液体充填装置１Ａのものとほぼ同様である。図５において、充填ノズル８が往動始点にきたときのアーム２３の状態を実線で、充填ノズル８が往動終点にきたときのアーム２３の状態を仮想線で示す。
別置式液体充填装置１Ｂでも、充填ノズル８が１つであるため、袋５が６番目の停止位置（充填ノズル８の往動終点）に停止している間に、往動工程の往動始点に復帰（復動）する必要があり、充填時間及び復動時間が図２に示す別置式液体充填装置１に比べて短くなる。その代わり、図２に示す別置式液体充填装置１では充填工程に使われていた７番目の停止位置（図５にＶＩＩで示す）を、例えばスチーム吹き込みなど、他の包装処理に利用することができる。
【００４７】
次に、以上説明した別置式液体充填装置１の充填ノズル８，９、及び別置式液体充填装置１Ａ，１Ｂにおける充填ノズル８の往動経路の設定方法を説明する。
まず、図６は、別置式液体充填装置１における充填ノズル８，９の往動経路の設定方法を説明するための模式図である。図６において、袋５は一点鎖線で示す移送経路３１（点Ｓを中心とする半径ｒの円弧）上を、角度θ毎に停止しながら左回りに間欠移送される。本例の場合、後述する仮想往動経路の半径及び往動角度が、この移送経路の半径ｒ及び１回の間欠移送の角度θに等しく設定されるものとする。移送経路３１上の５〜７番目の停止位置（Ｖ、ＶＩ、ＶＩＩ）に袋５が描かれている。
【００４８】
別置式液体充填装置１の充填ノズル８，９の往動経路設定は、次のような手順で行われる。
（１）別置式液体充填装置の据付工程
別置式液体充填装置１を、間欠移送式ロータリー型袋移送装置２に隣接して、該間欠移送式ロータリー型袋移送装置２の袋の移送経路３１の６番目の停止位置に略正対するように据え付ける。この据え付けにあたって特別な厳密さは要求されない。別置式液体充填装置１において、充填ノズル８，９の間隔は、移送経路３１上の袋５，５の間隔と一致している必要がある。
なお、別置式液体充填装置１において、例えばメインアーム２３とサブアーム２５の可動範囲の中央位置（図６に２点鎖線で示す位置）が初期位置として設定され、この初期位置における位置制御データ（メインアーム２３の揺動角度Ｑと伸縮長さＬ及びサブアーム２５の回動角度Ｒ）が初期値（Ｑ０，Ｌ０，Ｒ０）として制御装置に登録されている。 
【００４９】
（２）移送経路情報の入力工程
オペレーターが、別置式液体充填装置１の制御盤１８のタッチパネル上で、間欠移送式ロータリー型袋移送装置２の機種を選択する。別置式液体充填装置１の制御装置には各種間欠移送式ロータリー型袋移送装置の袋の移送経路に関する情報（移送経路の径、移送経路上での１回の間欠移送の角度等）が予め登録されており、この選択により、間欠移送式ロータリー型袋移送装置２の移送経路に関する前記情報が読み出され、それに基づいて、別置式液体充填装置１における後述する仮想往動経路の径ｒ及び同期往動角度θが設定される。
タッチパネル上で機種選択をする代わりに、間欠移送式ロータリー型袋移送装置の機体に前記情報が格納されたＱＲコード（登録商標）等の２次元バーコード銘板を取り付け、これを別置式液体充填装置に取り付けられた２次元バーコードリーダーで読み取り、制御装置に登録することもできる。
【００５０】
（３）ティーチングモード設定工程
オペレーターが、制御盤１８のタッチパネル上で、別置式液体充填装置１をティーチングモードに設定する。これによりメインアーム２３を揺動させる駆動源、メインアーム２３を伸縮させる駆動源、及びサブアーム２５を回動させる駆動源が自由状態に切り替わる。駆動源は例えばいずれもサーボモータである。
【００５１】
（４）往動始点登録工程
オペレーターが、袋の移送経路上の５番目の停止位置と６番目の停止位置に、一対の充填ノズル８，９を手動操作で導いて位置決めする。この位置が充填ノズル８，９の往動始点Ａ１，Ａ２として設定される。この例では、往動始点Ａ１，Ａ２は、理想的な往動始点（移送経路３１上の５，６番目の停止位置に描かれた袋５の中心位置）から若干ずれている。図６において、手動操作後（往動始点Ａ１，Ａ２の設定時）のメインアーム２３とサブアーム２５が、前記初期位置の左側に実線で示されている。３２はサブアーム２５の揺動支点軸である。Ｏはメインアーム２３の揺動支点軸であり座標の原点位置とされる。
位置決め後、オペレーターが制御盤１８のタッチパネルを操作することで、前記往動始点Ａ１，Ａ２の座標位置に対応する往動始点位置制御データ（メインアーム２３の揺動角度Ｑｉと伸縮長さＬｉ及びサブアーム２５の回動角度Ｒｉ）が、前記初期値（Ｑ０，Ｌ０，Ｒ０）を基準として、各駆動源（サーボモータ）から取得される位置情報に基づいて算出され、制御装置に登録される。また、前記往動始点位置制御データから、原点Ｏに対する２つの往動始点Ａ１，Ａ２の座標位置が算出される。
【００５２】
（５）往動終点登録工程
オペレーターが、袋の移送経路上の６番目の停止位置と７番目の停止位置に、一対の充填ノズル８，９を手動操作で導いて位置決めする。この位置が充填ノズル８，９の実際の往動終点Ｂ１，Ｂ２として設定される。手動操作後（往動終点Ｂ１，Ｂ２の設定時）のメインアーム２３とサブアーム２５が、前記初期位置の右側に実線で示されている。
位置決め後、オペレーターが制御盤１８のタッチパネルを操作することで、往動終点Ｂ１，Ｂ２の座標位置に対応する往動終点位置制御データ（メインアーム２３の揺動角度Ｑｔと伸縮長さＬｔ及びサブアーム２５の回動角度Ｒｔ）が、各駆動源（サーボモータ）から取得される位置情報に基づいて算出され、制御装置に登録される。
【００５３】
（６）仮想往動経路設定工程
算出された往動始点Ａ１，Ａ２の座標位置と、当初設定された仮想往動経路の径ｒに基づき、仮想往動経路の中心Ｔの座標位置が算出され、さらに往動角度θから、充填ノズル８，９の仮想往動終点（往動始点Ａ１，Ａ２を前提とした理論上の往動終点）ｂ１，ｂ２の座標位置が制御装置により算出される。仮想往動終点ｂ１，ｂ２は、往動始点Ａ１，Ａ２を通る径ｒの円弧上に存在し、仮想往動終点ｂ１は往動始点Ａ２と同じ位置である。前記円弧上の往動始点Ａ１から仮想往動終点ｂ１までの経路が、充填ノズル８の仮想往動経路３３として、往動始点Ａ２から仮想往動終点ｂ２までの経路が、充填ノズル９の仮想往動経路３４として設定される。
この例では、往動始点Ａ１，Ａ２が前記理想的な往動始点と若干ずれていたため、仮想往動経路３３，３４の中心Ｔが移送経路３１の中心Ｓとずれ、仮想往動終点ｂ１，ｂ２が理想的な往動終点（移送経路３１上の６，７番目の停止位置に描かれた袋５の中心位置）からずれている。
【００５４】
（７）往動経路算出工程
往動始点Ａ１，Ａ２から仮想往動終点ｂ１，ｂ２までの仮想往動経路３３，３４上に、一定の角度間隔で（例えば微少角度Δθ毎に）、各々ｎ−１個の点が設定され、その座標位置が制御装置により算出される。各仮想往動経路３３，３４において、各仮想往動終点ｂ１，ｂ２が往動始点Ａ１，Ａ２からｎ番目の点となる。
次いで、仮想往動経路３３上のｍ番目の点と仮想往動経路３４のｍ番目の点を一組とし、仮想往動経路３３上のｍ番目の点に充填ノズル８が位置し、仮想往動経路３４上のｍ番目の点に充填ノズル９が位置すると想定して、その座標位置に対応する位置制御データ（メインアーム２３の揺動角度Ｑｍと長さＬｍ及びサブアーム２５の回動角度Ｒｍ）が制御装置により算出される。ここで、ｍは１〜ｎの自然数であり、Ｑｍ、Ｌｍ、Ｒｍは各仮想往動経路３３，３４上の往動始点Ａ１，Ａ２からｍ番目の点に対応する位置制御データ（メインアームの揺動角度Ｑと伸縮長さＬ及びサブアームの回動角度Ｒ）を意味する。ｎは任意に設定できるが、例えば５０〜１００００程度の値が選ばれる。
次に、仮想往動終点ｂ１，ｂ２の座標位置に対応する位置制御データ（Ｑｎ，Ｌｎ，Ｒｎ）と、往動終点Ｂ１，Ｂ２の座標位置に対応する位置制御データ（Ｑｔ，Ｌｔ，Ｒｔ）とのずれの大きさ（ΔＱ，ΔＬ，ΔＲ）に応じて、仮想往動経路３３，３４上のｎ個の点の座標位置に対応する位置制御データ（Ｑｍ，Ｌｍ，Ｒｍ）の各々に対し、往動始点Ａ１，Ａ２からの角度間隔に比例する補正値が制御装置より付加される。具体的には、仮想往動経路３３，３４上の往動始点Ａ１，Ａ２からｍ（ｍ：１〜ｎ）番目の点の座標位置に対応する位置制御データ（Ｑｍ，Ｌｍ，Ｒｍ）に、それぞれΔＱ×（ｍ／ｎ）、ΔＬ×（ｍ／ｎ）、ΔＲ×（ｍ／ｎ）が補正値として付加される。
仮想往動経路３３，３４上の往動始点Ａ１，Ａ２、各仮想往動経路３３，３４上のｍ番目の点、及び仮想往動終点ｂ１，ｂ２の各座標位置に対応する位置制御データを表１に、補正後の位置制御データを表２に示す。補正後の位置制御データは、オペレーターが手動で設定した往動始点Ａ１，Ａ２と往動終点Ｂ１，Ｂ２を、略円弧状につなぐ往動経路３５，３６上の各点に対応するものであり、これが実際の往動経路として設定される。
【００５５】
【表１】
0005606937.tif 000002
【００５６】
（８）運転モード切替工程
オペレータが制御盤１８のタッチパネル上で、別置式液体充填装置１をこれまでのティーチングモードから運転モードに切り換え設定する。これにより、制御装置により各駆動源が保持状態に維持されるとともに、充填ノズル８，９が登録された往動始点Ａ１，Ａ２に移動する。
【００５７】
（９）運転開始工程
オペレータが間欠移送式ロータリー型袋移送装置２の制御盤２０を操作して運転開始を指示すると、間欠移送式ロータリー型袋移送装置２が運転を開始する。同時に、別置式液体充填装置１の制御装置は、間欠移送式ロータリー型袋移送装置２からの制御信号（往動及び復動速度、往動及び復動の開始タイミング等）と、設定された前記往動経路３５，３６上の各点に対応する前記位置制御データに基づいて各駆動機構を作動させ、充填ノズル８，９を、間欠移送式ロータリー型袋移送装置２により間欠移送される袋５に同期し、前記往動経路３５，３６上を円弧補間して往動させる。復動経路は往動経路３５，３６と同一経路（逆方向）でもよく、別経路でもよい。なお、間欠移送式ロータリー型袋移送装置２からの制御信号には、充填ノズル８，９の昇降タイミング等の制御信号も含まれる。
【００５８】
次に、図７は、別置式液体充填装置１Ａにおける充填ノズル８の往動経路の設定方法を説明するための模式図である。
図７において、袋５は一点鎖線で示す移送経路３１（点Ｓを中心とする半径ｒの円弧）上を、角度θ毎に停止しながら左回りに間欠移送される。移送経路３１上の５，６番目の停止位置（Ｖ、ＶＩ）に袋５が描かれている。
【００５９】
別置式液体充填装置１Ａの充填ノズル８の往動経路設定は、下記に例示するとおり、別置式液体充填装置１とほぼ同様の手順で行われる。
（１）別置式液体充填装置の据付工程
別置式液体充填装置１Ａを、間欠移送式ロータリー型袋移送装置２に隣接して、該間欠移送式ロータリー型袋移送装置２の袋の移送経路の６番目の停止位置に略正対するように据え付ける。この据付に当たって特別な厳密さは要求されない。
なお、別置式液体充填装置１Ａでも、例えばメインアーム２３とサブアーム２５の可動範囲の中央位置が初期位置として設定され、この初期位置における位置制御データ（メインアーム２３の揺動角度Ｑ及びサブアーム２５の回動角度Ｒ）が初期値（Ｑ０，Ｒ０）として制御装置に登録されている。 
【００６０】
（２）移送経路情報の入力工程
オペレーターが、別置式液体充填装置１Ａが適用される間欠移送式ロータリー型袋移送装置２の機種を選択する。この選択により、間欠移送式ロータリー型袋移送装置２の移送経路に関する情報（移送経路の径、移送経路上での１回の間欠移送の角度等）が読み出され、それに基づいて、別置式液体充填装置１Ａにおける後述する仮想往動経路の径ｒ及び同期往動角度θが設定される。
【００６１】
（３）ティーチングモード設定工程
オペレーターが、別置式液体充填装置１Ａをティーチングモードに設定する。これによりメインアーム２３を揺動させる駆動源、及びサブアーム２５を回動させる駆動源が自由状態に切り替わる。駆動源は例えばいずれもサーボモータである。
【００６２】
（４）往動始点登録工程
オペレーターが、移送経路３１上の５番目の停止位置に、充填ノズル８を手動操作で導いて位置決めする。この位置が充填ノズル８の往動始点Ａ１として設定される。図７において、３２はサブアーム２５の揺動支点軸である。Ｏはメインアーム２３の揺動支点軸であり座標の原点位置とされる。
位置決め後、オペレーターの操作により、往動始点Ａ１の座標位置に対応する往動始点位置制御データ（メインアーム２３の揺動角度Ｑｉとサブアーム２５の回動角度Ｒｉ）が、各駆動源（サーボモータ）から取得される位置情報に基づいて算出され、制御装置に登録される。また、前記往動始点位置制御データから、原点Ｏに対する往動始点Ａ１の座標位置が算出される。
【００６３】
（５）往動終点登録工程
オペレーターが、移送経路３１上の６番目の停止位置に、充填ノズル８を手動操作で導いて位置決めする。この位置が充填ノズル８の往動終点Ｂ１として設定される。
位置決め後、オペレーターの操作により、前記往動終点Ｂ１の座標位置に対応する位置制御データ（メインアーム２３の揺動角度Ｑｔ及びサブアーム２５の回動角度Ｒｔ）が、前記初期値（Ｑ０，Ｒ０）を基準として、各駆動源（サーボモータ）から取得される位置情報に基づいて算出され、制御装置に登録される。また、前記位置制御データから、原点Ｏに対する往動終点Ｂ１の座標位置が算出される。
【００６４】
（６）仮想往動経路設定工程
算出された往動始点Ａ１及び往動終点Ｂ１の座標位置と、当初設定された仮想往動経路の径ｒに基づき、仮想往動経路の中心Ｔの座標位置が算出され、さらに前記往動角度θから、充填ノズル８の仮想往動終点（往動始点Ａ１を前提とした理論上の往動終点）ｂ１の座標位置が制御装置により算出される。前記円弧上の往動始点Ａ１から仮想往動終点ｂ１までの経路が、充填ノズル８の仮想往動経路３３として設定される。
【００６５】
（７）往動経路算出工程
往動始点Ａ１から仮想往動終点ｂ１までの仮想往動経路３３上に、一定の角度間隔で（例えば微少角度Δθ毎に）、各々ｎ−１個の点が設定され、その座標位置が制御装置により算出される。仮想往動経路３３において、仮想往動終点ｂ１が往動始点Ａ１からｎ番目の点となる。
次いで、仮想往動経路３３上のｍ番目の点に充填ノズル８が位置すると想定して、その座標位置に対応する位置制御データ（メインアーム２３の揺動角度Ｑｍ及びサブアーム２５の回動角度Ｒｍ）が制御装置により算出される。ここで、ｍは１〜ｎの自然数であり、Ｑｍ、Ｒｍは仮想往動経路３３上の往動始点Ａ１からｍ番目の点に対応する位置制御データ（メインアームの揺動角度Ｑ及びサブアームの回動角度Ｒ）を意味する。ｎは任意に設定できるが、例えば５０〜１００００程度の値が選ばれる。
次に、仮想往動終点ｂ１の座標位置に対応する位置制御データ（Ｑｎ，Ｒｎ）と、往動終点Ｂ１の座標位置に対応する位置制御データ（Ｑｔ，Ｒｔ）とのずれの大きさ（ΔＱ，ΔＲ）に応じて、仮想往動経路３３上のｎ個の点の座標位置に対応する位置制御データ（Ｑｍ，Ｒｍ）の各々に対し、往動始点Ａ１からの角度間隔に比例する補正値が制御装置より付加される。具体的には、仮想往動経路３３上の往動始点Ａ１からｍ（ｍ：１〜ｎ）番目の点の座標位置に対応する位置制御データ（Ｑｍ，Ｒｍ）に、それぞれΔＱ×（ｍ／ｎ）、ΔＲ×（ｍ／ｎ）が補正値として付加される。
補正後の位置制御データは、オペレーターが手動で設定した往動始点Ａ１と往動終点Ｂ１をつなぐ往動経路３５（仮想往動経路３３の円弧と重なる）上の各点に対応するものであり、これが実際の往動経路として設定される。
【００６６】
別置式液体充填装置１Ａにおける充填ノズル８の往動経路の設定方法のうち、運転モード切替工程と運転開始工程は記述を省略する。
【００６７】
次に、図８は、別置式液体充填装置１Ｂにおける充填ノズル８の往動経路の設定方法を説明するための模式図である。
図８において、袋５は一点鎖線で示す移送経路３１（点Ｓを中心とする半径ｒの円弧）上を、角度θ毎に停止しながら左回りに間欠移送される。移送経路３１上の５，６番目の停止位置（Ｖ、ＶＩ）に袋５が描かれている。図８において、Ａ１は往動始点、ｂ１は仮想往動終点、Ｂ１は往動終点、３３は仮想往動経路（往動始点Ａ１から仮想往動終点ｂ１までの円弧）、３５は往動経路（往動始点Ａ１から往動終点Ｂ１までの円弧）である。
別置式液体充填装置１Ｂの充填ノズル８の往動経路設定は、別置式液体充填装置１Ａと全く同様の手順（各点の位置制御データがアーム２３の揺動角度Ｑと長さＬからなる点でのみ異なる）で行われるので、詳細は省略する。
【符号の説明】
【００６８】
１，１Ａ，１Ｂ  液体充填装置
２  間欠移送式ロータリー型袋移送装置
４  グリッパー
５  袋
８，９  充填ノズル
２３  メインアーム
２４  昇降軸
２５  サブアーム
３３，３４  仮想往動経路
３５，３６  往動経路
Ａ１，Ａ２  往動始点
ｂ１，ｂ２  仮想往動終点
Ｂ１，Ｂ２  往動終点
Ｏ  座標位置の原点
【図１】
0005606937.tif 000003
【図２】
0005606937.tif 000004
【図３】
0005606937.tif 000005
【図４】
0005606937.tif 000006
【図５】
0005606937.tif 000007
【図６】
0005606937.tif 000008
【図７】
0005606937.tif 000009
【図８】
0005606937.tif 000010